(57)【要約】【課題】低次分路の進相コンデンサが投入されていない状態で、高次分路の進相コンデンサが投入されることがなく、低次の高調波電流の増大、過進相による機器等の寿命の低下、および皮相電力増加による電力損失の増加を抑制できる交流フィルタを提供する。【解決手段】本発明に係る交流フィルタ１は、直列に接続されたスイッチＳ５、７、１１、リアクトルＬ５、７、１１および進相コンデンサＣ５、７、１１からなる複数の分路が電力系統の負荷Ｚに対して並列に接続され、遅れ無効電力の多寡に応じてスイッチＳ５、７、１１が開閉されるとともに、進相コンデンサＣ５、７、１１が投入または遮断されるものであって、進相コンデンサＣ５、７、１１の投入が、低次の高調波電流に対応したものから順に行われ、進相コンデンサＣ５、７、１１の遮断が、高次の高調波電流に対応したものから順に行われることを特徴とする。【選択図】図１
2009089510.tif 000002
【特許請求の範囲】
【請求項１】
直列に接続されたスイッチ、リアクトルおよび進相コンデンサからなる複数の分路が電力系統の負荷に対して並列に接続され、検出された電力系統の遅れ無効電力の多寡に応じて前記スイッチが開閉されるとともに、前記進相コンデンサが投入または遮断される交流フィルタであって、
前記複数の分路に備えられた前記リアクトルのリアクタンスは、それぞれ、当該分路が吸収するべき特定次数の高調波電流に対して当該分路全体として低インピーダンスとなるように選定され、これにより、当該分路は、前記遅れ無効電力に伴って発生する特定次数の前記高調波電流を吸収し得るように構成されており、
前記投入は、低次の前記高調波電流に対応した前記進相コンデンサから順に行われ、前記遮断は、高次の前記高調波電流に対応した前記進相コンデンサから順に行われることを特徴とする交流フィルタ。
【請求項２】
前記複数の分路は、少なくとも、５次の前記高調波電流に対応した分路と、７次の前記高調波電流に対応した分路と、１１次の前記高調波電流に対応した分路とを備えていることを特徴とする請求項１に記載の交流フィルタ。
【請求項３】
直列に接続されたスイッチ、リアクトルおよび進相コンデンサからなる、特定次数の高調波電流を吸収し得る複数の分路が電力系統の負荷に対して並列に接続され、検出された電力系統の遅れ無効電力の多寡に応じて前記スイッチが開閉されるとともに、前記進相コンデンサが投入または遮断される交流フィルタの制御方法であって、
前記遅れ無効電力が増加した場合に、
前記スイッチの開閉状態が記憶されている記憶部を参照して投入する前記進相コンデンサの候補を決定し、当該進相コンデンサが吸収し得る前記高調波電流よりも低次の前記高調波電流を吸収し得る前記進相コンデンサが投入されていることを確認した後に、当該進相コンデンサを投入し、
前記遅れ無効電力が減少した場合に、
前記記憶部を参照して遮断する前記進相コンデンサの候補を決定し、当該進相コンデンサが吸収し得る前記高調波電流よりも高次の前記高調波電流を吸収し得る前記進相コンデンサが投入されていないことを確認した後に、当該進相コンデンサを遮断する、
ことを特徴とする交流フィルタの制御方法。
【発明の詳細な説明】
【技術分野】
【０００１】
本発明は、インバータ等の負荷から発生する高調波電流を吸収し、当該電流が外部の電力系統に流出するのを防ぐ交流フィルタに関する。
【背景技術】
【０００２】
近年、インバータ等の各種電力調整装置が、家電機器、ＯＡ機器および産業設備等の様々な分野で利用されている。インバータ等の各種電力調整装置によれば、これらの機器、設備の省エネルギー化を図ることができる。
その一方で、インバータ等の各種電力調整装置は、その動作時に多量の高調波電流を発生する。この高調波電流が外部の電力系統に流出すると、電圧ひずみにより進相コンデンサが過負荷となり、発熱する等の様々な高調波障害が発生する。
【０００３】
そこで、従来から、上記高調波電流を抑制するべく、様々な交流フィルタが検討されている（例えば、特許文献１参照）。
【０００４】
従来の基本的な交流フィルタを図５に示す。
交流フィルタ１は、直列に接続された５次リアクトルＬ５および５次進相コンデンサＣ５からなる５次分路、７次リアクトルＬ７および７次進相コンデンサＣ７からなる７次分路、１１次リアクトルＬ１１および１１次進相コンデンサＣ１１からなる１１次分路を備えている。
各分路に備えられる進相コンデンサＣ５、Ｃ７、Ｃ１１の静電容量は、前記交流フィルタ１が適用される電力系統の想定される遅れ無効電力に応じて選定される。
また、各分路に備えられるリアクトルＬ５、Ｌ７、Ｌ１１のリアクタンスは、それぞれ、当該分路によって吸収されるべき次数の高調波に対して分路全体として低インピーダンスとなるように選定される。
【０００５】
交流フィルタ１において、各分路は並列に接続され、その接続点は、配線用遮断器からなるスイッチＳを介して交流電源Ｅから負荷Ｚへの給電ラインに接続されている。スイッチＳが閉じられると、各分路の進相コンデンサが一斉に投入される。また、スイッチＳが開かれると、各分路の進相コンデンサは一斉に遮断される。
【０００６】
図６は、他の従来の交流フィルタである。
図６に示す従来の交流フィルタ１は、スイッチＳに加えて、各分路に電磁接触器からなるスイッチＳ５、Ｓ７、Ｓ１１を備えており、分路毎に進相コンデンサの投入／遮断を選択可能になっている。
各分路の進相コンデンサの投入／遮断の制御は、計器用変流器ＣＴ１およびＣＴ２によって検知される電流に基づき、制御部２によって行われる。
【０００７】
【特許文献１】特開平５−３００６５４号公報
【発明の開示】
【発明が解決しようとする課題】
【０００８】
しかしながら、図５に示す交流フィルタは、全ての進相コンデンサを一斉に投入することしかできないので、遅れ無効電力がそれほど大きくならない負荷条件では、進み力率である過進相となっていた。過進相になると、電圧上昇により、負荷Ｚとして接続される機器等の寿命の低下や、皮相電力増加による電力損失の増加等の問題が発生する。
【０００９】
一方、図６に示す交流フィルタによれば、分路毎に進相コンデンサの投入／遮断が選択可能になっているので、上記の問題は緩和される。
しかしながら、この交流フィルタ１には、低次分路の進相コンデンサ（例えば、５次進相コンデンサＣ５）が遮断された状態で、高次分路の進相コンデンサ（例えば、１１次進相コンデンサＣ１１）を投入すると、低次（５次）の高調波電流がむしろ増大してしまうという問題があった。
【００１０】
また、進み無効電力を消費する分路リアクトルを適用することにより、過進相を防ぐ方法もある。しかしながら、一般的に、分路リアクトルは損失が大きく、しかも高価なので、その適用可能範囲は非常に限られていた。
【００１１】
そこで、本発明は、分路毎に進相コンデンサの投入／遮断を選択可能な交流フィルタにおいて、低次分路の進相コンデンサが投入されていない状態で、高次分路の進相コンデンサが投入されることがない交流フィルタおよびその制御方法を提供することを課題とする。
【課題を解決するための手段】
【００１２】
上記課題を解決するために、本発明に係る交流フィルタは、
直列に接続されたスイッチ、リアクトルおよび進相コンデンサからなる複数の分路が電力系統の負荷に対して並列に接続され、検出された電力系統の遅れ無効電力の多寡に応じて前記スイッチが開閉されるとともに、前記進相コンデンサが投入または遮断される交流フィルタであって、
前記複数の分路に備えられた前記リアクトルのリアクタンスは、それぞれ、該分路が吸収するべき特定次数の高調波電流に対して該分路全体として低インピーダンスとなるように選定され、これにより、該分路は、前記遅れ無効電力に伴って発生する特定次数の前記高調波電流を吸収し得るように構成され、前記投入は、低次の前記高調波電流に対応した前記進相コンデンサから順に行われ、前記遮断は、高次の前記高調波電流に対応した前記進相コンデンサから順に行われることを特徴とする。
【００１３】
前記複数の分路は、少なくとも、５次の前記高調波電流に対応した分路と、７次の前記高調波電流に対応した分路と、１１次の前記高調波電流に対応した分路とを備えていることが好ましい。
【００１４】
また、本発明に係る交流フィルタの制御方法は、
直列に接続されたスイッチ、リアクトルおよび進相コンデンサからなる、特定次数の高調波電流を吸収し得る複数の分路が電力系統の負荷に対して並列に接続され、検出された電力系統の遅れ無効電力の多寡に応じて前記スイッチが開閉されるとともに、前記進相コンデンサが投入または遮断される交流フィルタの制御方法であって、
前記遅れ無効電力が増加した場合に、前記スイッチの開閉状態が記憶されている記憶部を参照して投入する前記進相コンデンサの候補を決定し、該進相コンデンサが吸収し得る前記高調波電流よりも低次の前記高調波電流を吸収し得る前記進相コンデンサが投入されていることを確認した後に、該進相コンデンサを投入し、
前記遅れ無効電力が減少した場合に、前記記憶部を参照して遮断する前記進相コンデンサの候補を決定し、該進相コンデンサが吸収し得る前記高調波電流よりも高次の前記高調波電流を吸収し得る前記進相コンデンサが投入されていないことを確認した後に、該進相コンデンサを遮断することを特徴とする。
【発明の効果】
【００１５】
本発明に係る交流フィルタでは、低次分路の進相コンデンサが優先的に投入され、高次分路の進相コンデンサが優先的に遮断されるように構成されている。
したがって、本発明に係る交流フィルタによれば、低次の高調波電流の増大に伴う過進相によって生じる、負荷として接続される機器等の寿命の低下、および皮相電力増加による電力損失の増加を安価に抑制することができる交流フィルタおよびその制御方法を提供することができる。
【発明を実施するための最良の形態】
【００１６】
以下、添付図面を参照して、本発明に係る交流フィルタの好ましい実施形態について説明する。
【００１７】
図１に本発明に係る交流フィルタを示す。
交流フィルタ１は、直列に接続されたリアクトルおよび進相コンデンサからなる複数の分路を備えている。各分路は、それぞれ、対応する次数の高調波に対して低インピーダンスとなり、当該次数の高調波電流を吸収することができる。
交流フィルタ１は、一例として、５次リアクトルＬ５および５次進相コンデンサＣ５からなる５次分路、７次リアクトルＬ７および７次進相コンデンサＣ７からなる７次分路、１１次リアクトルＬ１１および１１次進相コンデンサＣ１１からなる１１次分路を備え、５次、７次および１１次の高調波電流を吸収することができる。
【００１８】
各分路は並列に接続され、その接続点は、配線用遮断器からなるスイッチＳを介して交流電源Ｅから負荷Ｚへの給電ラインに接続されている。
スイッチＳが閉じられると、各分路の進相コンデンサが一斉に投入される。また、スイッチＳが開かれると、各分路の進相コンデンサは一斉に遮断される。
【００１９】
本発明に係る交流フィルタ１は、スイッチＳに加えて、各分路に電磁接触器からなるスイッチＳ５、Ｓ７、Ｓ１１を備えており、分路毎に進相コンデンサの投入／遮断を選択可能にしている。
各分路の進相コンデンサの投入／遮断の制御は、計器用変流器ＣＴによって検知される電流、および計器用変圧器ＰＴによって検知される電圧に基づき、制御部２によって行われる。
【００２０】
制御部２は、無効電力演算部３、コンデンサ投入遮断決定部４、駆動部５および記憶部６からなる。無効電力演算部３は、検知された電流および電圧に基づいて遅れ無効電力を演算し、その演算結果をコンデンサ投入遮断決定部４に出力する。
【００２１】
遅れ無効電力が所定値を超えると、コンデンサ投入遮断決定部４から駆動部５にコンデンサ投入信号が出力され、駆動部５は、その信号に基づいて低次分路のものから順にスイッチＳ５、Ｓ７、Ｓ１１を閉じ、進相コンデンサＣ５、Ｃ７、Ｃ１１を投入する。
一方、遅れ無効電力が所定値を下回ると、コンデンサ遮断信号に基づいて高次分路のものから順にスイッチＳ１１、Ｓ７、Ｓ５が開かれ、進相コンデンサＣ１１、Ｃ７、Ｃ５は遮断される。スイッチＳ１１、Ｓ７、Ｓ５の最新の開閉状態は、記憶部６に記憶される。
【００２２】
続いて、上記した制御部２による進相コンデンサの投入／遮断制御を、図２に示すある１日の交流フィルタの動作の具体例と、図３および図４に示すフローチャートを参照して説明する。
なお、図３および図４のフローチャートは、交流フィルタの一連の動作のうち、遅れ無効電力の増減が検出された場合の動作のみを抜き出したものである。
【００２３】
図２は、上から、（１）無効電力演算部３の演算によって得られた遅れ無効電力のグラフ、（２）本発明に係る交流フィルタによる高調波対策を行う前の高調波電流のグラフ、（３）投入された進相コンデンサの全容量のグラフ、（４）高調波対策を行った後の高調波電流のグラフ、および（５）進相コンデンサの投入状況を示す表である。
ここで、（２）および（４）に示す高調波電流は、全次数の高調波電流の和である。
また、（５）中の記載“×”は、当該進相コンデンサが遮断されていることを示し、“○”は投入されていることを示す。
また、図２の（１）に示す遅れ無効電力は、説明の便宜上、ステップ状に変化するものとしているが、実際の遅れ無効電力は連続的に変化する。
【００２４】
（５）の表に示すように、図２の具体例において、５次進相コンデンサＣ５、７次進相コンデンサＣ７、１１次進相コンデンサＣ１１は、それぞれ、２００、１００、５０［ｋｖａｒ］である。
【００２５】
図２の時刻７時において、（１）に示す遅れ無効電力が５０［ｋｖａｒ］を超えると（図３のステップＳ１−１）、記憶部６が参照され（ステップＳ１−２）、投入されていない進相コンデンサのうち、５０［ｋｖａｒ］の１１次進相コンデンサＣ１１が投入候補として挙がる（ステップＳ１−３）。
しかしながら、この時点において、より低次の進相コンデンサＣ５、Ｃ７が投入されていないので（ステップＳ１−４の“Ｎｏ”）、結局、１１次進相コンデンサＣ１１は投入されない（ステップＳ１−７の“Ｎｏ”）。
これにより、１１次進相コンデンサＣ１１が先に投入されることによる、５次および７次の高調波電流の増大を防止することができる。
【００２６】
図２の時刻８時において、遅れ無効電力が２００［ｋｖａｒ］となると、投入されていない進相コンデンサＣ５、Ｃ７、Ｃ１１の中から、最も適当な静電容量を有する５次進相コンデンサＣ５（２００［ｋｖａｒ］）が投入候補として決定される（ステップＳ１−３）。
５次進相コンデンサＣ５よりも低次の進相コンデンサは存在しないので、ステップＳ１−４では“Ｙｅｓ”の判定がなされる。そして、コンデンサ投入遮断決定部４から駆動部５に出力されるコンデンサ投入信号に基づき、駆動部５がスイッチＳ５を閉じ、５次進相コンデンサＣ５が投入される（ステップＳ１−５）。そして、スイッチＳ５が閉じられた旨が記憶部６に記憶される（ステップＳ１−６）。
【００２７】
２００［ｋｖａｒ］の遅れ無効電力に対して、２００［ｋｖａｒ］の５次進相コンデンサＣ５が投入されたので、（４）に示す高調波対策後の高調波電流は、ほぼ“０”となる。
【００２８】
図２の時刻９時に、遅れ無効電力が３００［ｋｖａｒ］に増加すると、１００［ｋｖａｒ］の７次進相コンデンサＣ７が投入候補に挙がる（ステップＳ１−３）。
コンデンサ投入遮断決定部４は、記憶部６を参照して、より低次のスイッチＳ５が閉じられていることを確認する（ステップＳ１−４の“Ｙｅｓ”）。そして、コンデンサ投入遮断決定部４から駆動部５にコンデンサ投入信号が出力され、駆動部５がスイッチＳ７を閉じ、７次進相コンデンサＣ７を新たに投入する（ステップＳ１−５）。
既に、５次進相コンデンサＣ５が投入されているので、（３）に示す進相コンデンサの全容量は、３００［ｋｖａｒ］となる。
【００２９】
図２の時刻１０時に、遅れ無効電力が４００［ｋｖａｒ］に増加すると、５０［ｋｖａｒ］の１１次進相コンデンサＣ１１が投入候補に挙がる（ステップＳ１−３）。
コンデンサ投入遮断決定部４は、記憶部６を参照して、より低次のスイッチＳ５およびＳ７が閉じられていることを確認する（ステップＳ１−４の“Ｙｅｓ”）。そして、コンデンサ投入遮断決定部４から駆動部５にコンデンサ投入信号が出力され、駆動部５がスイッチＳ１１を閉じ、１１次進相コンデンサＣ１１を新たに投入し（ステップＳ１−５）、スイッチＳ１１が閉じられた旨が記憶部６に記憶される（ステップＳ１−６）。
既に、５次進相コンデンサＣ５、および７次進相コンデンサＣ７が投入されているので、（３）に示す進相コンデンサの全容量は、３５０［ｋｖａｒ］となる。
【００３０】
その後、コンデンサ投入遮断決定部４は、記憶部６を参照して、全ての進相コンデンサが投入されており、さらに候補となる進相コンデンサが存在しないことを確認し（ステップＳ１−７の“Ｎｏ”）、遅れ無効電力が増加したことに伴う一連のフローが終了する（ＥＮＤ）。
【００３１】
図２の時刻１１時における遅れ無効電力は３５０［ｋｖａｒ］なので、進相コンデンサＣ５、Ｃ７、Ｃ１１は全て投入されている。その後、時刻１２時に、遅れ無効電力が２００［ｋｖａｒ］に減少すると、７次進相コンデンサＣ７および１１次進相コンデンサＣ１１が遮断される。
このとき、コンデンサ投入遮断決定部４は、記憶部６に記憶されているスイッチＳ５、Ｓ７、Ｓ１１の最新の開閉状態を参照して（図４のステップＳ２−２）、投入されている進相コンデンサのうち、より高次の進相コンデンサを優先的に遮断する（ステップＳ２−３〜７）。すなわち、まず、１１次進相コンデンサＣ１１が遮断され、その後、７次進相コンデンサＣ７が遮断される。
これにより、高次分路の進相コンデンサ（１１次進相コンデンサＣ１１）のみが投入された状態となるのを防止し、低次の高調波電流が増大するのを防止することができる。
【００３２】
図２の時刻１３時における遅れ無効電力の変化においても、投入しようとしている進相コンデンサのうち、より低次の進相コンデンサから投入される（図３のステップＳ１−３〜７）。すなわち、既に投入されている５次進相コンデンサＣ５に加えて、まず７次進相コンデンサＣ７が投入され、続いて、１１次進相コンデンサＣ１１が投入される。
【００３３】
以上のように、本発明に係る交流フィルタでは、低次分路の進相コンデンサが優先的に投入され、高次分路の進相コンデンサが優先的に遮断されるので、高次分路の進相コンデンサのみが投入されることによる、低次の高調波電流の増大を防ぐことができる。
【００３４】
以上、本発明の好ましい実施形態について説明したが、本発明は上記構成に限定されるものではない。
【００３５】
例えば、図１に示す交流フィルタは、５次、７次、および１１次分路を備えているが、抑制したい高調波電流の次数に応じて、任意に変更することができる。
例えば、これらに加えて、１３次、１７次・・・等のさらに高次の分路を備えてもよいし、５次、７次、１１次分路のいずれかを省略してもよい。また、各分路の進相コンデンサの容量は一例であって、他の容量に変更することもできる。
【図面の簡単な説明】
【００３６】
【図１】本発明に係る交流フィルタを備えた設備を示す図である。
【図２】本発明に係る交流フィルタの動作の一例を示すグラフおよび表である。
【図３】遅れ無効電力が増加した場合の、本発明に係る交流フィルタの動作を示すフローチャートである。
【図４】遅れ無効電力が減少した場合の、本発明に係る交流フィルタの動作を示すフローチャートである。
【図５】従来の交流フィルタを備えた設備を示す図である。
【図６】他の従来の交流フィルタを備えた設備を示す図である。
【符号の説明】
【００３７】
１      交流フィルタ
２      制御部
３      無効電力演算部
４      コンデンサ投入遮断決定部
５      駆動部
６      記憶部
Ｅ      交流電源
ＣＴ、ＣＴ１、ＣＴ２  計器用変流器
Ｃ５、Ｃ７、Ｃ１１  進相コンデンサ
Ｌ５、Ｌ７、Ｌ１１  リアクトル
Ｓ、Ｓ５、Ｓ７、Ｃ１１  スイッチ
ＰＴ    計器用変圧器
Ｚ      負荷
【図１】
2009089510.tif 000003
【図２】
2009089510.tif 000004
【図３】
2009089510.tif 000005
【図４】
2009089510.tif 000006
【図５】
2009089510.tif 000007
【図６】
2009089510.tif 000008